(57)【要約】      （修正有）【課題】天板の表面材がめくりあがりやすいという問題を解消又は抑制することができる天板付き家具を提供する。【解決手段】表面に筆記面Ｈを形成する天板１と、この天板１を支持する天板支持体とを備えてなる天板付き家具であり、天板１が、芯材１１と、この芯材１１に形成された表面部１１ａと小口面部１１ｂの少なくとも上部分１１ｄとを連続して被覆し外側に筆記面Ｈが形成された薄板材１２とを備えてなり、天板支持体が、天板１を床面に対して略水平な水平位置と略垂直な起立位置との間で回動可能に支持するようにした。【選択図】図５
2012100933.tif 000002
【特許請求の範囲】
【請求項１】
表面に筆記面を形成する天板と、この天板を支持する天板支持体とを備えてなる天板付き家具であって、
前記天板が、芯材と、この芯材に形成された表面部と小口面部の少なくとも上部分とを連続して被覆し外側に前記筆記面が形成された薄板材とを備えてなり、前記天板支持体が、天板を床面に対して略水平な水平位置と略垂直な起立位置との間で回動可能に支持するようにしたものであることを特徴とする天板付き家具。
【請求項２】
前記天板支持体が、天板を上下昇降可能に支持し得るものである請求項１記載の天板付き家具。
【請求項３】
前記芯材の小口面部が、床面に対して略垂直な上部分と、床面に対して傾斜した下部分とを備えている請求項１又は２記載の天板付き家具。
【請求項４】
前記薄板材が、鋼板により形成される鋼板層と、この鋼板層の上に設けられ前記筆記面を形成する筆記面塗膜層とを備えている請求項１、２又は３記載の天板付き家具。
【請求項５】
前記板材が、合成樹脂製のフィルム層と、このフィルム層の上に形成された筆記面被膜層とを備えている請求項１、２又は３記載の天板付き家具。
【請求項６】
前記筆記面が、ホワイトボード仕様のものである請求項１、２、３、４又は５記載の天板付き家具。
【発明の詳細な説明】
【技術分野】
【０００１】
本発明は、天板に直接筆記することができるようにした天板付き家具に関する。
【背景技術】
【０００２】
従来から、この種の天板付き家具として、表面に筆記面を形成する天板と、この天板を支持する脚とを備えてなるものが知られている（例えば、特許文献１参照）。
【０００３】
従来のものは、筆記面となる天板の表側に表面材を貼り設けるようにしており、天板の縁部すなわち天板における芯材の小口端面は、表面材とは別個のカバー部材が取着されている。
【０００４】
これら同一構造をなす他の天板付き家具を隣接させて用いた場合、一方の天板の表面材と他方の天板の表面材との間に、双方の縁部に配されたカバー部材が介在してしまうこととなり、筆記面の連続性が阻害されるものとなっていた。
【０００５】
また、カバー部材を設けずに筆記面の連続性を担保しようとした場合、天板の縁部が壁面に当たったり他の家具等に当たったりすることに伴って、天板の縁部の表面材がめくれやすくなるという問題があった。
【先行技術文献】
【特許文献】
【０００６】
【特許文献１】特開２００２−１７４８１号公報
【発明の概要】
【発明が解決しようとする課題】
【０００７】
本発明は、以上のような事情に着目してなされたもので、天板の縁部が他の部材に当たることに伴って、天板の表面材がめくれやすくなるという問題を解消又は抑制することを目的とする。
【課題を解決するための手段】
【０００８】
すなわち、本発明は、次のような構成をなすものである。
【０００９】
請求項１にかかる発明は、表面に筆記面を形成する天板と、この天板を支持する天板支持体とを備えてなる天板付き家具であって、前記天板が、芯材と、この芯材に形成された表面部と小口面部の少なくとも上部分とを連続して被覆し外側に前記筆記面が形成された薄板材とを備えてなり、前記天板支持体が、天板を床面に対して略水平な水平位置と略垂直な起立位置との間で回動可能に支持するようにしたものである。
【００１０】
請求項２にかかる発明は、請求項１にかかる構成において、前記天板支持体が、天板を上下昇降可能に支持し得るものである。
【００１１】
請求項３にかかる発明は、請求項１又は２にかかる構成において、前記芯材の小口面部が、床面に対して略垂直な上部分と、床面に対して傾斜した下部分とを備えているものである。
【００１２】
請求項４にかかる発明は、請求項１、２又は３にかかる構成において、前記薄板材が、鋼板により形成される鋼板層と、この鋼板層の上に設けられ前記筆記面を形成する筆記面塗膜層とを備えているものである。  請求項５にかかる発明は、請求項１、２又は３にかかる構成において、前記薄板材が、合成樹脂製のフィルム層と、このフィルム層の上に形成された筆記面被膜層とを備えているものである。
【００１３】
請求項６にかかる発明は、請求項１、２、３、４又は５にかかる構成において、前記筆記面が、ホワイトボード仕様のものである。
【発明の効果】
【００１４】
以上説明したように本発明によれば、天板の縁部が他の部材に当たることに伴って、天板の表面材がめくれやすくなるという問題を解消又は抑制するものとなる。
【図面の簡単な説明】
【００１５】
【図１】本発明の一実施形態である天板付き家具の斜視図。
【図２】同実施形態における天板を起立させた状態の斜視図。
【図３】同実施形態における使用態様を示す側面図。
【図４】同実施形態における他の使用態様を示す側面図。
【図５】同実施形態における天板の縁部の部分拡大断面図。
【図６】同実施形態における芯材の角部を拡大して示す概略斜視図。
【図７】同実施形態における天板付き家具に同一構造をなす他の天板付き家具を隣接配置した状態を示す説明図。
【図８】起立位置における一方の天板の縁部と他方の天板の縁部とを近接させた状態を示す概略平面図。
【図９】他の実施形態を示す天板の部分拡大断面図。
【図１０】他の実施形態を示す天板の部分拡大断面図。
【図１１】他の実施形態を示す天板の部分拡大断面図。
【発明を実施するための形態】
【００１６】
以下、本発明の一実施形態を、図１〜図８を参照して説明する。
【００１７】
本実施形態は、本発明を、テーブルとしての機能を発揮することができるとともに、ホワイトボードとしての機能を発揮することができるようにした天板付き家具Ａに適用した場合のものである。換言すれば、この天板付き家具Ａはテーブル兼ホワイトボードとも称されるものである。この天板付き家具Ａは、オフィスや学校の教室等において好適に用いられるものであるが、特に、新たな発想やアイデアを創出させるためのいわゆるブレーンストーミングを行う場面において、新たな発想やアイデアの創出を促進又は支援するツールとして好適に使用されるものである。
【００１８】
天板付き家具Ａは、天板１を床面に対して略水平な水平位置（Ｓ）と、天板１を床面に対して略垂直な起立位置（Ｋ）との間で回動可能にしているものである。すなわち、天板１が、床面に対して略水平な水平位置（Ｓ）にある場合には、天板１の表面Ｊすなわち上面が床面に対して水平をなし種々の物品を安定載置できるテーブルとしての機能を発揮するものである。一方で、この天板付き家具Ａは、天板１を床面に対して略水平な水平位置（Ｓ）と略垂直な起立位置（Ｋ）との間で回動可能なものとしているが、天板１が、水平位置（Ｓ）、起立位置（Ｋ）、又は、水平位置（Ｓ）と起立位置（Ｋ）との間の位置、これらの何れの位置にあっても、天板１の表面Ｊすなわち筆記面Ｈに、ペン等を使用して文字等を書くことができるホワイトボードとしての機能を発揮するものである。
【００１９】
以下、本実施形態における天板付き家具Ａについて詳述する。
【００２０】
天板付き家具Ａは、表面Ｊに主たる筆記面Ｈを形成する天板１と、天板１を支持する天板支持体２とを備えてなるものである。
【００２１】
天板１は外面を形成する部位として、筆記面Ｈを有した表面Ｊと、表面Ｊと反対の面を構成する裏面Ｕと、前記表面Ｊと裏面Ｕとの間に位置してなる側面Ｅとを有しているものである。天板１は平面視略方形をなすもの、より具体的にいえば、本実施形態における天板１は、水平位置（Ｓ）において平面視略正方形の形状をなしているものである。この天板１の４つの縁部は側面Ｅが垂直部Ｅ１と傾斜部Ｅ２を有した形状、換言すれば、船底形状をなしている。
【００２２】
天板１は、基礎部分を形成する平面視矩形板状の芯材１１と、この芯材１１の外面を被覆する薄板材１２とを備えてなる。
【００２３】
芯材１１は、木材等を主体にして製造されたものである。本実施形態においては、芯材１１は繊維板により作られた平面視四角形状をなすものであり、上面部分を構成する表面部１１ａと、側面部分を構成する小口面部１１ｂと、下面部分を構成する裏面部１１ｃとを具備している。表面部１１ａは、その上に薄板材１２が貼り設けられるように略全面を平らかに形成されている。裏面部１１ｃは、表面部１１ａと略同様の構造であるが、後述する天板支持体２が取り付けられるようにするため、所要箇所に図示しない穴やスリット等の取付部が形成されている。
【００２４】
小口面部１１ｂは、水平位置（Ｓ）において床面に対して略垂直な上部分たる垂直面１１ｄと、床面に対して傾斜した下部分たる傾斜面１１ｅとを備えている。傾斜面１１ｅは、芯材１１の端縁部分から長手方向中央に向かうにつれて漸次その面位置が下に遷移するようにしたもの、すなわち、芯材１１の縁部１１１に形成された傾斜面１１ｅは、表面部１１ａとの上下方向の離間距離が芯材１１の端縁部分から長手方向中央に向かうにつれて漸次大きくなるように設定されている。換言すれば、芯材１１の縁部１１１における傾斜面１１ｅを有する部位は側面視及び横断面視においてテーパー状をなしている。しかして、本実施形態における芯材１１の縁部１１１は、表面部１１ａと、表面部１１ａと略垂直をなすとともに表面部１１ａから連続する小口面部１１ｂの垂直面１１ｄと、垂直面１１ｄから連続してなり表面部１１ａに対して傾斜してなる小口面部１１ｂの傾斜面１１ｅと、この傾斜面１１ｅから連続して延び表面部１１ａと略平行をなす裏面部１１ｃとによって構成されており、これらによって船底形状を形成している。
【００２５】
薄板材１２は、主として芯材１１の表面部１１ａの全域を覆うものであるが、本実施形態においては図５に示すように、芯材１１に形成された表面部１１ａと小口面部１１ｂの上部分１１ｄとを連続して被覆してなるものである。換言すれば、本実施形態における薄板材１２は、芯材１１の表面部１１ａを被覆する部分である表面形成部１２１と、芯材１１の小口面部１１ｂの上部分１１ｄを被覆する部分である垂直面形成部１２２とを具備している。薄板材１２は、表面形成部１２１と垂直面形成部１２２とによって、下側に開放された箱形状をなしている。薄板材１２は、外側、すなわち、表面形成部１２１及び垂直面形成部１２２の表出面に筆記面Ｈが形成される。しかして、本実施形態においては、筆記面Ｈが、ホワイトボード仕様のものとなっている。
【００２６】
薄板材１２は、鋼板Ｓｔにより形成される鋼板層１２ａと、この鋼板層１２ａの上に設けられ、塗料Ｐｔにより形成される筆記面塗膜層１２ｂとを備えたものである。
【００２７】
鋼板層１２ａは、本実施形態においては、芯材１１に形成された表面部１１ａと小口面部１１ｂの上部分である垂直面１１ｄとを連続して被覆しているものである。鋼板層１２ａは、例えば、厚み寸法が０．６ｍｍ程度の鋼板Ｓｔにより形成される断面視において層状をなすものである。鋼板層１２ａを形成する鋼板Ｓｔは、芯材１１の表面部１１ａと小口面部１１ｂの上部分である垂直面１１ｄに接着剤等により接着される。
【００２８】
筆記面塗膜層１２ｂは、塗料Ｐｔにより鋼板層１２ａの上に形成される断面視において層状をなすものである。筆記面塗膜層１２ｂを形成する塗料Ｐｔとしては、例えば、ホワイトボード用の白色塗料が用いられる。筆記面塗膜層１２ｂにおける外部に表出する部分には筆記面Ｈが形成される。なお、筆記面塗膜層１２ｂを形成する塗料Ｐｔは、鋼板Ｓｔが芯材１１に貼着された後に芯材１１及び鋼板Ｓｔの外部に表出する面に塗布される。すなわち、塗料Ｐｔは、鋼板Ｓｔの表出面だけでなく、芯材１１の表出面に直接塗布されるものであり、換言すれば天板１の外面全体に塗布されるものである。
【００２９】
より具体的にいえば、天板１は次のように形成される。まず、鋼板Ｓｔが、芯材１１の表面部１１ａ及び小口面部１１ｂの垂直面１１ｄに接着されると、図６に示すように、芯材１１の角部１１２に鋼板層１２ａによって上下方向に延びる隙間ＳＰが形成されることとなるため、次いで、図示しないパテ等の埋込材によって隙間ＳＰを埋め込み、角部分を鋼板Ｓｔの外面と滑らかに連続させる処理を行う。しかる後に、筆記面塗膜層１２ｂを形成するホワイトボード用の白色塗料Ｓｔは、外面に表出している芯材１１、鋼板層１２ａ、及び埋込材により形成された外面部分の略全面に塗布される。ここで、図６に示すものは、芯材１１及び薄板材１２の部分拡大斜視図であり、芯材１１に鋼板Ｓｔが接着された状態で、鋼板Ｓｔによって上下方向の隙間ＳＰが形成されているもので、且つ、塗料Ｐｔが塗布されていない状態のものを示している。このように、塗料Ｓｔにより天板１の全体を塗布することにより、塗料Ｓｔによって境界部分の微細な段差等を埋めて滑らかに連続させることができ、天板１の見栄えを向上させるものとなっている。特に、起立時において天板１の裏面Ｕが視認されやすい場合でも、見栄えに優れたものとすることができる。また、裏面Ｕや側面Ｅにも筆記面を形成することができる。
【００３０】
なお、薄板材１２は、芯材１１の表面部１１ａと芯材１１の小口面部１１ｂの少なくとも一部とを連続して被覆するものであるが、芯材１１の角部１１２を被覆しないものも含まれる。
【００３１】
天板支持体２は、天板１を床面に対して略水平な水平位置（Ｓ）と略垂直な起立位置（Ｋ）との間で回動可能に支持することができるとともに、天板１を上下昇降可能に支持することができるものである。詳述すれば、本実施形態における天板支持体２は、下端にキャスタ２１１を有した脚２１と、脚２１の上部に設けられ、天板１を床面に対して略水平な水平位置（Ｓ）と略垂直な起立位置（Ｋ）との間で回動可能に支持するための支持機構２２と、天板１を上下昇降可能に支持し得る昇降機構２３とを備えてなる。
【００３２】
脚２１は、左右に対をなすもので、上下方向に延びる脚支柱２１２を備えている。一方の脚２１の脚支柱２１と他方の脚２１の脚支柱２１とは横架材２１３を介して連結されている。脚２１の下端にはキャスタ２１１が配されてあり、天板１を使用者が容易に移動できるとともに、所望の位置では、移動を禁止できるようにしている。
【００３３】
支持機構２２は、天板１を、水平位置（Ｓ）と起立位置（Ｋ）との間で回動可能に支持するものである。換言すれば、支持機構２２は、天板１を床面に対して自由な角度で支持できるものである。支持機構２２の具体的な構成については、通常のものであり説明を省略する。
【００３４】
昇降機構２３は、天板１を上下昇降可能に支持するものである。昇降機構２は、脚２１の脚支柱２１２を上下伸縮可能に構成したものである。本実施形態においては、昇降機構２３は、水平位置（Ｓ）における天板１の上面と床面との離間寸法を約７００ｍｍ〜１０５０ｍｍの間で設定できるようにしている。なお、昇降機構２３の具体的な構成については、通常のものであり、説明を省略する。
【００３５】
以上説明したように、本実施形態に係る天板付き家具Ａは、表面に筆記面Ｈを形成する天板１と、天板１を支持する天板支持体２とを備えてなるものとしている。そして、天板１が、芯材１１と、芯材１１に形成された表面部１１ａと小口面部１１ｂの上部分１１ｄとを連続して被覆し外側に筆記面Ｈが形成された薄板材１２とを備えているので、天板１の表面材である薄板材１２が、芯材１１の表面部１１ａのみならず表面部１１ａから連続して小口面部１１ｂの上部分ｄまで被覆するものとなり、天板１の縁部Ｅが壁面や他の家具等と当接することにより、薄板材１２がめくれやすくなるという事態を好適に抑制することができる。
【００３６】
詳述すれば次のとおりである。すなわち、薄板材１２が、芯材１１の表面部１１ａのみならず、芯材１１の表面部１１ａから連続して少なくとも芯材１１の小口面部１１ｂの一部である垂直面１１ｄにまで回り込んで取り付けられているため、薄板材１２が芯材１１からはがれにくい構造となっている。例えば、従来のこの種の天板では、芯材の小口面部に取着される別個のカバー部材を省略した場合、表面部を覆う部材をめくれやすくしてしまう等の弊害を誘導することがあった。しかしながら、本実施形態に示すものにおいては、薄板材１２の小口面部１１ｂを覆う部分が他の部材と当接しても、薄板材１２の表面部１１ａを覆う部分は小口面部１１ｂを覆う部分と連続しているので、一体的な強度を発揮することとなり、薄板材１２の表面部１１ａを覆う部分に影響が及びにくいものとなっている。
【００３７】
しかも、本実施形態における天板支持体２は、天板１を床面に対して略水平な水平位置（Ｓ）と略垂直な起立位置（Ｋ）との間で回動可能に支持するようにしているので、テーブルとしての機能を発揮することができるとともに、ホワイトボードとしての機能を発揮することができる多機能性を有した家具を提供することができる。
【００３８】
天板１の側面Ｅが、芯材１１の小口面部１１ｂを、芯材１１の表面部１１ａを被覆する薄板材１２によって連続して被覆して形成されるので、従来のような天板の表面材と別個独立の部材を天板の縁部に配してなるものよりも外観上すっきりした印象を与え、意匠的に優れたものとなる。
【００３９】
芯材１１の小口面部１１ｂが、表面部１１ａを被覆する薄板材１２によって連続して被覆されるものであるので、図７に示すように、同一構造をなす他の天板付き家具Ａ’を隣接させて用いた場合、一方の天板１の薄板材１２と他方の天板１’の薄板材１２’との間に他の別部材が介在せず、一方の天板１の筆記面Ｈと他方の天板１’の筆記面Ｈ’との連続性が確保され、使用者の使い勝手が向上するものとなる。
【００４０】
なお、図７では、本実施形態である天板付き家具Ａに加えて、この天板付き家具Ａと同一構造をなす他の天板付き家具Ａ’を示している。また、当該他の天板付き家具Ａ’におけるその他の符号については本実施形態である天板付き家具Ａの符号に「’」を付加したものとして表示している。
【００４１】
天板１の側面Ｅが、垂直部Ｅ１と傾斜部Ｅ２を有した形状、換言すれば、船底形状に形成されているので、外観上、見栄えがよく意匠性に優れたものとなっている。
【００４２】
ここで、図８に示すものは、本実施形態に示す天板１と、同一構造をなす他の天板１’をそれぞれ起立位置（Ｋ）にした状態の概略平面図である。他の天板１’におけるその他の符号には「’」を付して表示している。本実施形態における天板１の側面Ｅは、垂直部Ｅ１と傾斜部Ｅ２とを有した船底形状をなすものであるので、同図に示すように、同一構造をなす他の天板１’の縁部を天板１の縁部に一定角度で隣接させた場合に、天板１の表面Ｊと他方の天板１’の表面Ｊ’との距離を、縁部が角型であるものと比較して、近いものとすることができる。換言すれば、天板１の傾斜部Ｅ２の後方領域に、他の天板１’の縁部を位置させることができるので、例えば、一方の天板１の縁部と他方の天板１’縁部とを近づけて一定の角度をつけて横並びさせるような場合であっても、正面視において天板１と天板１’との間に隙間が形成されるのを好適に防ぐものとなるとともに、一方の天板１と他方の天板１’との間に大きな段差ができにくいものとなる。一般に、このような天板１の縁部と他の天板１’の縁部とを近接する作業は、複数のものを有機的に利用可能な本実施形態に係る天板付き家具Ａの特性上、頻繁にかつラフに行われることが多いが、前述の通り、天板１の縁部の形状が船底形状のものであれば、ラフな扱いであっても容易に一方の天板１の縁部と他方の天板１’の縁部とを近接する作業を行うことができる。
【００４３】
薄板材１２を、鋼板により形成される鋼板層１２ａと、鋼板層１２ａの上に設けられ筆記面Ｈを形成する筆記面塗膜層１２ｂとを備えてなるものとしているので、材料の複雑化を好適に回避し得るものとなる。
【００４４】
薄板材１２は、表面形成部１２１と垂直面形成部１２２とによって、下側に開放された箱形状をなしているので、薄板材１２を芯材１１に被せるようにして装着することができ、芯材１１と薄板材１２との位置合わせを容易に行うことができるものとなる。
【００４５】
筆記面Ｈが、ホワイトボード仕様のものであるので、ペン等を用いて文字等を自由に筆記することができる。
【００４６】
天板支持体２が、天板１を上下昇降可能に支持し得るものであるため、使用者は天板１を任意の高さ位置に設定して利用することができ、利便性が向上するものとなる。例えば、図４に示すように、天板１を比較的高い位置で支持させるとともに、天板１を起立位置（Ｋ）に保持すれば、利用者の一覧性に優れた使用形態にすることができる。
【００４７】
なお、本発明は、以上に詳述した実施形態に限られるものではない。
【００４８】
天板支持体は、本実施形態に示されるものに限定されるものではない。天板支持体は、構造体であってもよいし、脚が１つのものでもよいし、複数のものでもよい。すなわち、天板支持体は、天板を床面に対して離間させて支持することができるものであればどのようなものでもよい。
【００４９】
塗料は、白色のものに限定されないのはもちろんのことである。
【００５０】
小口面部を構成する上部分と下部分との上下寸法の比率は、適宜調整できるものであり、本実施形態に示すものに限定されないのは言うまでもない。
【００５１】
小口面部は、本実施形態に示されるように、上部分と下部分を有するものに限られず、例えば、図９に示すようなものであってもよい。
【００５２】
なお、以下に説明する他の実施形態において上記実施形態に対応する構成要素には、頭に「Ａ」、「Ｂ」、「Ｃ」をつけた同様の符号を付して示すものとし、具体的な説明を省略する。
【００５３】
図９のものは、他の実施形態である天板Ａ１を示したものである。小口面部Ａ１１ｂは、同図に示すように、表面部１１ａと垂直である垂直面１１ｅのみを有するものであってもよい。同図に示す実施形態における薄板材Ａ１２は、芯材Ａ１１の表面部Ａ１１ｂと芯材Ａ１１の小口面部Ａ１１ｂである垂直面Ａ１１ｄとを被覆しており、換言すれば、芯材Ａ１１の表面部Ａ１１ａを被覆する部分である表面形成部Ａ１２１と、芯材Ｂ１１の小口面部Ｂ１１ｂである垂直面Ａ１１ｅを被覆する部分である垂直面形成部Ａ１２２とを具備している。薄板材Ａ１２は、外側、すなわち、表面形成部Ａ１２１及び垂直面形成部Ａ１２２の表出面に筆記面ＡＨが形成される。このようなものであっても、薄板材Ａ１２が、天板Ａ１の側面ＡＥが他の部材に当たる等に伴ってはがれやすくなることを好適に抑制するものとなり、所期の目的を達成することができる。
【００５４】
薄板材は、本実施形態に示すような、芯材の表面部と小口面部の上部分のみを連続して被覆するものには限定されるものではない。
【００５５】
ここで、図１０には他の実施形態である天板Ｂ１を示しており、図１１には他の実施形態である天板Ｃ１を示している。
【００５６】
図１０に示す天板Ｂ１では、薄板材Ｂ１２は、芯材Ｂ１１に形成された表面部Ｂ１１ａと、小口面部Ｂ１１ｂの上部分である垂直面Ｂ１１ｄと、小口面部Ｂ１１ｂの下部分である傾斜面Ｂ１１ｅと、芯材Ｂ１１に形成された裏面部Ｂ１１ｃの一部分を連続して被覆しているものである。換言すれば、本実施形態の薄板材Ｂ１２は、芯材Ｂ１１の表面部Ｂ１１ａから芯材Ｂ１１の裏面部Ｂ１１ｃまで連続して貼り回されているものであり、芯材Ｂ１１の表面部Ｂ１１ａを被覆する部分である表面形成部Ｂ１２１と、芯材Ｂ１１の小口面部Ｂ１１ｂの上部分である垂直面Ｂ１１ｄを被覆する部分である垂直面形成部Ｂ１２２と、芯材Ｂ１１小口面部Ｂ１１ｂの下部分である傾斜面Ｂ１１ｅを被覆する部分である傾斜面形成部Ｂ１２３と、芯材Ｂ１１の裏面部Ｂ１１ｃを被覆する部分である裏面形成部Ｂ１２４とを具備している。薄板材Ｂ１２は、外側、すなわち、表面形成部Ｂ１２１、垂直面形成部Ｂ１２２、傾斜面形成部Ｂ１２３及び裏面形成部Ｂ１２４の表出面に筆記面ＢＨが形成される。このようなものであっても、薄板材Ｂ１２が、天板Ｂ１の側面ＢＥが他の部材に当たる等に伴ってはがやすくなることを好適に抑制するものとなり、所期の目的を達成することができる。
【００５７】
図１１に示す天板Ｃ１では、薄板材Ｃ１２は、芯材Ｃ１１に形成された表面部Ｃ１１ａと、小口面部Ｃ１１ｂである垂直面Ｃ１１ｄと、芯材Ｃ１１に形成された裏面部Ｃ１１ｃの一部分を連続して被覆しているものである。換言すれば、本実施形態の薄板材Ｃ１２は、芯材Ｃ１１の表面部Ｃ１１ｂから芯材Ｃ１１の裏面部Ｃ１１ｃまで連続して貼り回されているものであり、芯材Ｃ１１の表面部Ｃ１１ａを被覆する部分である表面形成部Ｃ１２１と、芯材Ｃ１１の小口面部Ｃ１１ｂである垂直面Ｃ１１ｄを被覆する部分である垂直面形成部Ｃ１２２と、芯材Ｃ１１の裏面部Ｃ１１ｃを被覆する部分である裏面形成部Ｃ１２４とを具備している。薄板材Ｃ１２は、外側、すなわち、表面形成部Ｃ１２１、垂直面形成部Ｃ１２２及び裏面形成部Ｃ１２４の表出面に筆記面ＣＨが形成される。このようなものであっても、薄板材Ｃ１２が、天板Ｃ１の側面ＣＥが他の部材に当たる等に伴ってはがれやすくなることを好適に抑制するものとなり、所期の目的を達成することができる。
【００５８】
薄板材は、本実施形態に示されるような鋼板を主体に構成されるものに限定されない。例えば、薄板材として、合成樹脂製のフィルム層と、この合成樹脂製のフィルム層の上に形成された筆記面被膜層とを備えているものを用いてもよい。このような構成のものであっても、所期の目的を達成することができる。
【００５９】
表面に筆記面を形成する天板には、ペンにより筆記されるホワイトボード仕様の天板の他、チョークにより筆記される黒板仕様のものなど、種々のものが考えられる。その他、表面に筆記面を形成する天板としては、例えば、筆記用具の先端部分に磁性体や電導体を配したものにより筆記されるもの、より具体的にいえば、筆記用具の先端面を筆記面に当接させることにより筆記面の色が変化して筆記部分が示されるようにしたものなどが考えられる。
【００６０】
その他、各部の具体的構成についても上記実施形態に限られるものではなく、本発明の趣旨を逸脱しない範囲で種々変形が可能である。
【符号の説明】
【００６１】
１…天板
２…天板支持体
１１…芯材
１１ａ…表面部
１１ｂ…小口面部
１１ｄ…上部分
１２…薄板材
２１…天板支持体
Ａ…天板付き家具
Ｈ…筆記面
（Ｓ）…水平位置
（Ｋ）…起立位置
【図１】
2012100933.tif 000003
【図２】
2012100933.tif 000004
【図３】
2012100933.tif 000005
【図４】
2012100933.tif 000006
【図５】
2012100933.tif 000007
【図６】
2012100933.tif 000008
【図７】
2012100933.tif 000009
【図８】
2012100933.tif 000010
【図９】
2012100933.tif 000011
【図１０】
2012100933.tif 000012
【図１１】
2012100933.tif 000013